(57)【要約】【課題】  廃棄物処分場を区画するに際して、地盤の弱い部分に対する強化処理等を行わずに、遮水層自体の強度を大きいものとして形成し、地盤沈下等が生じても遮水層の性能を維持できるようにする。【解決手段】  廃棄物処分場に捨てる廃棄物を地盤と仕切る遮水材は、支持シート部材３６に遮水用シート３７を重ねて敷設するが、前記支持シート部材３６としては、ガラス繊維等で作成したシート状の部材、ジオテキスタイルと呼ばれるシート類等の破断強度が非常に大きいものを用いることができる。そして、地盤の弱い部分に生じた陥没部３１に対しては、遮水層が変形して追従するが、より大きい地盤の変形が生じたとしても、遮水層が負担するごみ等の重さを、その遮水層の強度のみで負担させるようにする。【選択図】          図１０
2007105618.tif 000002
【特許請求の範囲】
【請求項１】
廃棄物の埋立て処分場の周囲を、ケーソンのような既設の構造物を立設した護岸により区画し、
前記護岸を立設する地盤と、護岸により区画された部分の内面側の地盤表面とを遮水層により覆い、
前記埋立地で廃棄物に接して汚染された水が、周囲に漏れ出すことを防止する手段を設けてなる埋立て処分場であって、
前記列状に立設する構造物を支持する基礎の地盤は、構造物を支持する強度を有するとともに遮水性を有するように地盤改良を施して構築し、
前記埋立て処分場の廃棄物を積み重ねる堆積場側では、地盤の表面を遮水層で覆って保護する手段を設け、
前記堆積場では、遮水層の上に廃棄物を堆積させることを特徴とする廃棄物処分場の遮水構造。
【請求項２】
前記埋立て処分場の堆積場内で、廃棄物と地盤とを区画するために設ける遮水層に加えて、
前記埋立て処分場の周囲を区画する護岸と、その支持基礎の部分に対しても、不透水処理を施し、
埋立て処分場の内部の保有水が流出しないよう、区画することを特徴とする請求項１に記載の廃棄物処分場の遮水構造。
【請求項３】
前記遮水層は、水を通さない性質を有するシートまたは、マット状のものを敷き詰めて構成し、
前記遮水層を構成する部材を、接続部で不透水性を有する接続手段を用いて接続することを特徴とする請求項２に記載の廃棄物処分場の遮水構造。
【請求項４】
前記遮水層を、遮水性を有するシート状の遮水部材と、強度の大きい支持部材とを重ねた積層遮水部材で構成し、
前記遮水層に対して働く外力を、支持部材により受けるようにすることを特徴とする請求項２または３に記載の廃棄物処分場の遮水構造。
【請求項５】
前記遮水層に用いる支持部材は、遮水性を有するシート状の部材であり、
前記支持部材と重ねて設ける遮水部材との双方が、遮水層としての機能を発揮できるようにすることを特徴とする請求項４に記載の廃棄物処分場の遮水構造。
【請求項６】
前記積層遮水部材に用いる遮水部材は、弾性と塑性を有する材料を用いてシート状またはマット状に整形したものであり、
重ねて配置する前記支持部材の伸縮に応じて、遮水部材も変形可能なものとすることを特徴とする請求項２ないし５のいずれかに記載の廃棄物処分場の遮水構造。
【請求項７】
前記積層遮水部材で遮水部材に組み合わせる支持部材は、金属または非金属で構成したネット状の部材であり、
前記支持部材の強度により、堆積場内で地盤の変化が生じた場合でも、遮水部材と上部の廃棄物とを支持するように作用させることを特徴とする請求項２ないし６のいずれかに記載の廃棄物処分場の遮水構造。
【請求項８】
前記積層遮水部材で遮水部材に組み合わせる支持部材は、伸縮不能で、大きい値の引っ張り強度を有する支持シートであり、
堆積場の地盤に不等沈下等が生じた場合でも、前記支持部材の強度により遮水部材を支持することを特徴とする請求項７に記載の廃棄物処分場の遮水構造。
【請求項９】
前記遮水部材と支持部材とを組み合わせて用いた遮水層は、構造物側の端部を構造物の側面に押圧して固定係止して、
前記遮水層の他方の端部は、基礎マウンド等の支持体の表面から堆積場の地盤上に延長して敷設し、前記堆積場の地盤上に敷設する不透水層と、水密に接続することを特徴とする請求項１ないし８のいずれかに記載の廃棄物処分場の遮水構造。
【請求項１０】
前記立設する構造物の側面から支持基礎の表面に亘って設ける遮水層には、
基礎と地盤の接続部もしくは、地盤の不等沈下により大きな引っ張り力を受けると予想される部分には、アスファルトのブロックを基礎部材として設け、前記基礎部材の一方の遮水層に加えられる応力が、他方の側の遮水層に影響しないように区画することを特徴とする請求項９に記載の廃棄物処分場の遮水構造。
【発明の詳細な説明】
【技術分野】
【０００１】
本発明は、周囲と底面（支持地盤の表面）とを、遮水性の層で区画して構築する廃棄物埋立て処分場に関し、特に、処分場の地盤の地質を強化する等の処理を行わずに、軟弱な地盤が廃棄物の重量により変形したり、または地盤の一部が沈下した場合でも、外側との間で水を通さない遮水状態を維持可能な遮水構造に関する。
【背景技術】
【０００２】
産業廃棄物や一般廃棄物を、海面埋め立て処分するための処分場、もしくは、陸上で区画する区域内に廃棄物を投棄して、埋立て処分することは、近年一般的な処分方法として利用されている。前記廃棄物投棄処分場を構築するに際しては、その処分場の周囲に所定の高さの区画壁を構築し、その区画された場所の内部に廃棄物を投棄して、投棄されたものを積み重ねた表面に、土を所定の厚さでカバーする等の処理を行っている。そして、前述したようにして、積み重ねられた廃棄物が風雨に晒されることを防止し、環境を汚染しないようにしている。
【０００３】
また、前記埋立て処分場を海岸に近い海域に構築する場合には、その処分場の周囲を囲むようにケーソンのような構造物を立設して、その処分場を外海と区画するように構築している。前記廃棄物の海洋処分場を、ケーソンのような構造物を構築して区画するに際しては、鋼製矢板式護岸やケーソン式護岸、セル式護岸、捨石式護岸等を用いて構築することが行われている。前記仕切り護岸には、堆積場内の保有水が外海に浸出しないようにするために、仕切り護岸の本体に、または独立した部分に遮水処理を施している。さらに、前記処分場を構築する区域の海底地盤と、構造物を立設する基礎部分の地盤に対しては、処分場の内外で海水等が流通することがないように、遮水性を発揮する遮水層を構築するか、遮水処理を行っている。
【０００４】
前記廃棄物の海洋処分場を構築するに際しては、区画された廃棄物を投棄する堆積場の内側の部分に対応させて、遮水層を全面に構築して遮水することにより、廃棄物に接して汚染された水が、護岸の外側に漏れ出さないようにする処理を施している。例えば、仕切り護岸と遮水層を組み合わせて構築する場合には、ケーソンのような構造物を立設させて構築する護岸に対して、その内面側の堆積場の地表面を、アスファルトマット等を隙間なく敷設して覆い、廃棄物に接して汚染された水が、区域外に漏れ出さないように区画する手段等が用いられる（例えば、特許文献１参照）。
【特許文献１】特開２００２−  ６１１４８号公報
【発明の開示】
【発明が解決しようとする課題】
【０００５】
前記従来例のようにケーソンを立設して、仕切り護岸を構築する例において、海底地盤上に所定の高さに基礎捨石を積み重ねて、基礎マウンドを構築するが、その基礎を構築する部分の地盤の強度が不足する場合には、地盤を強化する処理を行っている。また、海底地盤が透水性を有する地質である場合には、透水性をなくするような地盤改良を行って、埋立地の地盤に要求される透水係数となるように設定している。さらに、前記仕切り護岸を構築する部分以外でも、堆積場に廃棄物を積み重ねるようにして廃棄したときに、地盤の支持強度がその廃棄物の重量に対して不足する場合には、軟弱な海底地盤の支持強度を強化する処理を行うことで、海底地盤をも強固なものとしている。
【０００６】
ところが、廃棄物の埋立て処分場を構築する場合に、工事期間や工事費用の観点から、構造物を構築する基礎マウンドの下部以外の他の場所で、特に地盤改良を行わずに、遮水シートを敷設する等の処理のみで、廃棄物を堆積させるようなことが行われている。そのような支持強度を補強する処理を行わない場合には、堆積された廃棄物の重量により、地盤の弱い部分が不等沈下するような現象が発生しやすい。前記地盤の一部のみが沈下するような状態が発生すると、その沈下した部分とその周囲の部分で、遮水層が損傷される等の問題が生じることがあり、内部の汚染された水が破壊された遮水層を通って、外に流出するという問題につながる。
【０００７】
前記廃棄物処分場を構築する際に、その予定している地域での地盤の性質や強度を、事前に十分に調査しておき、その地盤の強さや耐久性等が、設計重量に対して十分ではなくて満足できないときには、事前に地盤を強化する等の処理を行うことは望ましいことではある。そこで、前記予定する海域にケーソン等を立設して、処分場を区画する手段を用いる場合でも、ケーソンや基礎マウンド等のような重量物を支持する地盤は、強化する処理を行うことが必須であるということは容易に了解できる。
【０００８】
しかしながら、前記基礎マウンドの周囲の地盤にまで、地盤を強化する処理を行うことは、処分場の構築コストを大幅に引き上げることにもなり、経済的に引き合うものではないと考えられることが多くある。そこで、前記地盤の強化処理または、遮水性を向上させる処理を行わない状態でも、その部分を覆うように構築する遮水層の働きを良好に確保できて、処分場内に溜まっている汚れた水が、区画の外に漏れ出したりすることがないような、新たな遮水層を構築することが求められている。
【０００９】
前記海洋処分場の他に、陸上の廃棄物処分場においても、処分場の地盤に軟弱な部分があったとしても、その部分に対する地盤改良処理を行わずに、遮水シートのみを敷設したままで、廃棄物を積み重ねるような処理を行うことがある。前記遮水層が破れたりした場合には、海洋処分場よりも陸上の処分場での方が、その影響が特に顕著に現れる（暴露される）という特徴がある。しかしながら、陸上の処分場であったとしても、処分場の全体の地盤の強度を調べることは、多くの場合には得策ではなく、局部的な地盤強化処理等を行わずに、遮水シート等を敷設するのみで対処しているのが現状である。
【００１０】
本発明は、構造物を構築する部分で、大きな重量を支持する地盤のみを地盤改良して、地盤改良しない廃棄物堆積場側の部分で、不等沈下する等の地盤沈下等が発生しても、遮水層での遮水作用を維持できるようにして、廃棄物処分場での遮水性を維持できるようにする、廃棄物処分場の遮水構造を提供することを目的としている。
【課題を解決するための手段】
【００１１】
本発明は、廃棄物の埋立て処分場の周囲を、ケーソンのような既設の構造物を立設した護岸により区画し、
前記護岸を立設する地盤と、護岸により区画された部分の内面側の地盤表面とを遮水層により覆い、
前記埋立地で廃棄物に接して汚染された水が、周囲に漏れ出すことを防止する手段を設けてなる埋立て処分場に関する。
請求項１の発明は、前記列状に立設する構造物を支持する基礎の地盤は、構造物を支持する強度を有するとともに遮水性を有するように地盤改良を施して構築し、
前記埋立て処分場の廃棄物を積み重ねる堆積場側では、地盤の表面を遮水層で覆って保護する手段を設け、
前記堆積場では、遮水層の上に廃棄物を堆積させることを特徴とする。
【００１２】
請求項２の発明は、前記埋立て処分場の堆積場内で、廃棄物と地盤とを区画するために設ける遮水層に加えて、前記埋立て処分場の周囲を区画する護岸と、その支持基礎の部分に対しても、不透水処理を施し、埋立て処分場の内部の保有水が流出しないよう、区画することを特徴とする。
【００１３】
請求項３の発明は、前記遮水層は、水を通さない性質を有するシートまたは、マット状のものを敷き詰めて構成し、
前記遮水層を構成する部材を、接続部で不透水性を有する接続手段を用いて接続することを特徴とする。
【００１４】
請求項４の発明は、前記遮水層を、遮水性を有するシート状の遮水部材と、強度の大きい支持部材とを重ねた積層遮水部材で構成し、前記遮水層に対して働く外力を、支持部材により受けるようにすることを特徴とする。
【００１５】
請求項５の発明は、前記遮水層に用いる支持部材は、遮水性を有するシート状の部材であり、
前記支持部材と重ねて設ける遮水部材との双方が、遮水層としての機能を発揮できるようにすることを特徴とする。
【００１６】
請求項６の発明は、前記積層遮水部材に用いる遮水部材は、弾性と塑性を有する材料を用いてシートまたはマット状に成形したものであり、
重ねて配置する前記支持部材の伸縮に応じて、遮水部材も変形可能なものとすることを特徴とする。
【００１７】
請求項７の発明は、前記積層遮水部材で遮水部材に組み合わせる支持部材は、金属または非金属で構成したネット状の部材であり、
前記支持部材の強度により、堆積場内で地盤の変化が生じた場合でも、遮水部材と上部の廃棄物とを支持するように作用させることを特徴とする。
請求項８の発明は、前記積層遮水部材で遮水部材に組み合わせる支持部材は、伸縮不能で、大きい値の引っ張り強度を有する支持シートであり、
堆積場の地盤に不等沈下等が生じた場合でも、前記支持部材の強度により遮水部材を支持することを特徴とする。
【００１８】
請求項９の発明は、前記遮水部材と支持部材とを組み合わせて用いた遮水層は、構造物側の端部を構造物の側面に押圧して固定係止して、
前記遮水層の他方の端部は、基礎マウンド等の支持体の表面から堆積場の地盤上に延長して敷設し、前記堆積場の地盤上に敷設する不透水層と、水密に接続することを特徴とする。
請求項１０の発明は、前記立設する構造物の側面から支持基礎の表面に亘って設ける遮水層には、
基礎と地盤の接続部もしくは、地盤の不等沈下により大きな引っ張り力を受けると予想される部分には、アスファルトのブロックを基礎部材として設け、前記基礎部材の一方の遮水層に加えられる応力が、他方の側の遮水層に影響しないように区画することを特徴とする。
【発明の効果】
【００１９】
前述したように、遮水層が廃棄物処理場の地盤表面を覆うように構築することで、陸上に区画して設けるか、もしくは、海域を区切って設ける廃棄物埋立て処分場のいずれに対しても、本実施例の遮水手段を容易に適用することが可能である。そして、堆積場の内外を区画するための構造物を立設する基礎マウンドの部分に対して、その護岸を構築する部分の下部の地盤に対してのみ、地盤を強化させて、遮水処理層としての工事を施工するのみで良いことになる。さらに、前記地盤に対して遮水性を発揮させる改良工事を行わない区域に対しては、強度の大きい支持層と遮水層とを組み合わせて敷設し、地盤の一部が陥没したり、浸蝕されて変形等が発生したとしても、その地盤が変形した部分での遮水性能（水密性）が損なわれないように保護して、遮水層としての機能を維持させることが可能となる。
【００２０】
また、前記地盤の表面を覆うように構築する積層遮水部材では、遮水部材と支持部材としての、遮水用シートと支持シート部材との双方を、任意の性質を有するシートを敷設するかまたは、遮水層を構築することにより構成できる。そして、積層遮水部材として遮水シートに重ねて一体のものとして用いる支持シート類において、伸縮性を有しないシート類を用いる場合には、その破断強度が非常に大きい値を示すものを用いるようにする。したがって、地盤が沈下する等の支持地盤に多少の変形が生じたとしても、支持シート部材の強度で保持して、遮水用シートが変形したり破断するとを防いで、遮水層（不透水層）としての機能を維持できるようにする。
【００２１】
前記伸縮不能で強度の大きい支持シート部材として、ジオテキスタイル等を遮水用シートと重ねて敷設して、強度の大きい積層遮水部材を構成する場合には、積層遮水部材自体の強度の限界まで、つまり、前記支持シートが破れて、遮水層を支持することができなくなる限界まで、遮水性を維持する作用を継続できるものとされる。そして、伸縮性と柔軟性を有するか、または有しない遮水シートとを組み合わせて敷設した場合でも、支持シートが遮水シートを支持する作用を発揮している間は、遮水層における遮水の性能を維持することが可能となる。
【００２２】
また、前記積層遮水部材を伸縮性を有するシート状部材で構成する場合には、地盤の一部が浸蝕されたりして、遮水層の下部の地盤が変形したとしても、遮水層がその地盤の状態に合わせるように変形するので、積層遮水部材が破損したりすることなしに、長期間に亘って遮水性能を維持できる。なお、前記地盤の一部が浸蝕されたりして変形する場合には、長い時間に亘って少しずつ変形するものであり、その変形の作用に対して遮水層が変形可能な間は、次第に追従するように変形させることができる。そして、その後には、遮水層自体の強度により、廃棄物の重さに耐え得るようにして、遮水性能を維持させることが可能である。
【発明を実施するための最良の形態】
【００２３】
図示される例にしたがって、本発明の実施例の構成を説明するが、以下に説明する実施例は、仕切り護岸を構築して外海と区画し、廃棄物を投棄する海域を設定し、その区画された堆積場の内部に廃棄物を埋め立てる例を説明している。以下の実施例においては、海洋に廃棄物を投棄して埋立地を構成する場合に、ケーソン等の既成の構造物を列状に構築して区画し、その内面に遮水層を構築することで、廃棄物に触れて汚染された水が、外部に漏れ出さないように封じ込めできるように構成している。また、前記海の一部を区画して構築する廃棄物処分場の他に、山間部や谷を所定の範囲に亘って区画して、その区画で仕切られた範囲の内部に、廃棄物の埋立て処分場を構築する例に対しても、海域を区画する場合と同様な技術手段を適用できるものでもある。
【００２４】
以下に説明する遮水処理構造においては、前記海面処分場または陸上処分場を構築するに際して、処分場に投棄した廃棄物から滲み出す水や、雨水等が廃棄物に接して汚染された汚染水を、外海に流れ出さないように封じ込めるのである。つまり、処分場内部で発生する汚染された水が、処分場を区画する仕切り構造物や、構造物を支持する地盤の隙間を通って、外側に流れ出すことを防止できるものとして構成している。そのために、前記仕切り部に立設した構造物の隙間と、遮水処理した地盤との双方から、汚染された水が漏れ出すことによって、地下水や河川を汚染するという、重大な欠陥が発生しないように構成している。
【００２５】
さらに、廃棄物を堆積させた際に、処分場の地盤の弱いところが廃棄物の重さにより沈下して、地盤の表面に凹凸が形成されたとしても、水を通さない遮水層としての性能を、長期間に亘って維持可能とした、遮水構造物を得ることができるようにする。なお、以下の説明において、遮水層は、支持層に不透水性（遮水性）を発揮する材料の層を重ねて一体化したものを表現するが、前記不透水性の層を構成するシートを遮水シートと呼び、別の材料で構成した支持層とを重ねて、遮水層として作用させ得るようなものの構成を説明する。
【実施例】
【００２６】
図１に示す例においては、一般的な埋立地等の場合と同様に、海底地盤の上に列状に立設して、上部を海面から所定の高さまで露出させるように設置するケーソンを用いて、廃棄物処分場を仕切る護岸１を構成する場合を示している。この例において、海底地盤６の上にケーソン２を立設する構築区域では、地盤の土の支持強度を向上させるために地盤改良工事を施工して、構造物と基礎マウンド等の重量物に対して、その支持強度を増大させた改良地盤部７として構成する。
【００２７】
また、前記海底地盤６が水を通す性質を持つものである場合には、不透水性を発揮させる処理を、前記地盤改良部７に対しても同時に施工することで、不透水層としての性質を持たせるようにする。まず、最初に説明するように、廃棄物を仕切った海域にする仕切り護岸に対して、以下に説明するような、遮水性を発揮可能な構造物による仕切り部材の間と、廃棄物が直接接する地盤の表面部との双方に対して、遮水層としての性質を発揮できるものとして、構築することが必要とされる。
【００２８】
前述したようにして、仕切り護岸を構築する部分に対して、地盤を強化する等の処理を行ってから、その改良地盤７の上に所定の高さと巾を有する基礎捨石を積み重ねて、基礎マウンド５を構築する。そして、前記基礎マウンド５の上に、アスファルトマット等を敷設してからケーソン２を設置して、基礎とケーソンとを一体化した状態の護岸１として構築する。前記ケーソン２を立設するに際しては、基礎マウンド５の上面を平らに均してから、ケーソンの底板２ａを直接基礎５の上面に載置するようにして、ケーソンを列状に並べた護岸を構築することが可能である。
【００２９】
この場合には、ケーソンの底板の下面が、直接基礎マウンド５の石の上に載る状態で設置されているのであるから、石の突部が少しだけ底板２ａに接触する状態で、ケーソンを支持している。そこで、ケーソンに強い波があたったりして、衝撃を与えた場合には、ケーソンが基礎捨石上を滑るような不都合が発生する。そのような不都合が発生することを防止するためには、従来の一般的な港湾の工事を行う場合と同様に、基礎マウンドの上面にアスファルトマットのような摩擦係数の大きいものを敷き込んで、その上部にケーソンを載置して安定させる手段を用いると良い。なお、前記海底地盤を広い範囲に亘って、地盤改良部７とする工事を行うことは、その地盤の強化のための工事費用と、手間を多く必要とするという問題がある。そこで、構造物を立設する部分以外に、大きな荷重を負担する必要のない部分では、海底地盤６Ａに対しては、特に地盤改良工事を行わない状態のままで、廃棄物を投棄させるようにすることが、処分場の構築コストの面からも、好ましいことであるとされる。
【００３０】
前記ケーソンを列状に立設して区画した仕切り護岸の内側の部分を、廃棄物の埋立地として用いる場合に、海底地盤の表面部分と、構造物の埋立地側、および、基礎マウンドの表面の全てに対して、廃棄物が直接接する面に対して遮水処理を行っている。前記前記遮水層としては、例えば、遮水性を有するシートを敷設することにより、投棄する廃棄物が地盤に直接接しないように、区画することができる。前記遮水処理に関しては、後で詳細に説明するように、任意の種類の遮水性のシートと、強度の大きい支持シート部材を重ねて敷設して、前記遮水シートの強度を支持シートによって補うようにする。したがって、処分場の海底地盤の一部が不等沈下する等の、遮水層を支持する地盤が変形した場合であっても、遮水層が破損したりすることがなくて、遮水作用を良好に発揮できるように設けると良い。
【００３１】
また、前記図１に示す例においては、基礎捨石による基礎マウンド５に対して、埋立地の内面側の表面部と、海底地盤６の所定の区間に亘って、アスファルトマスチックの層を所定の厚さで施工することや、アスファルトマット等を敷設する等の、遮水性を強化する処理を行うような手法を用いている。そして、前述したような遮水処理を行うことによって、前記遮水層１０と海底地盤６との全ての部分で、保有水が流出しないように封止することができる。そこで、本実施例に示すように、石を積んで構築した基礎マウンドの表面の他に、前記基礎マウンドの下面の地盤改良部との間の部分に対しても、アスファルトマスチックの層を所定の厚さの層として施工すること、または遮水用シートを隙間なく敷設する等の手段を用いて、遮水性を良好に発揮可能とする。
【００３２】
さらに、前記遮水層１０の廃棄物と接する表面側には、所定の厚さで上面保護層２１を構築して、潮の干満や、埋立地の内部に溜まった水の圧力により、前記遮水層１０における遮水性能が不安定となることを防止できるようにしている。例えば、海面の高さが変化する場合には、基礎マウンドの石の間を通って遮水層に加えられる海水の圧力が、その海面の高さの変化にしたがって大きく変化して作用するので、そのような圧力の変化に対抗させるように、保護層２１を設けるのである。
【００３３】
前記上面保護層２１としては、砂等のように入手が容易な材料を用い、所定の厚さに施工して、遮水層の上から押圧保持させるようにすることで、遮水層が前面からの潮汐変動圧によって持ち上げられたりしないように保持する。また、前記上面保護層２１が遮水層１０を覆っていることで、ガレキ等の尖った角のある廃棄物を埋立材とし、遮水層の上に高いところから投下した時にも、その廃棄物の角等が直接遮水層を傷付けたりすることを防止できるようにするという、副次的な効果をも発揮する。そして、投下した廃棄物の衝撃圧力を、前記上面保護層２１により緩和することによって、遮水層１０が破損されることがないように保護して、遮水性を良好に確保できるようにしている。
【００３４】
前記護岸１における遮水処理に加えて、基礎マウンドの上に立設するケーソン等の構造物の間に対しても、遮水処理を施工して、護岸の下部の地盤と基礎マウンド、および構造物の全てが、遮水機能を有するものとして構築する。前記ケーソン２の間では、ゴムの筒状のもので構成した仕切部材３ａ、３ｂを、所定の間隔を持たせて縦方向に平行に配置して、その筒の内部には、任意の流動性の小さな液状のものやモルタル、もしくは、流動性を向上させたアスファルト等を充填している。前記筒状の部材を介在させて、筒の中に液状物等を封止することで、前記筒の形状を維持できて、ケーソンの対応する壁面に対して筒の表面が隙間を生じないように押圧されて、止水性を発揮させるようにする。
【００３５】
さらに、前記仕切り部材３ａ、３ｂの間には、アスファルトマスチックを注入した充填層３ｃを設けて、ケーソン間仕切部分を止水部３として構築する。前述したようにして、遮水処理を施工した前記護岸１により区切られた区域の内部に、廃棄物を投棄することが可能な埋立地８として構築することができる。そして、前記埋立地８に投棄した廃棄物から滲出する有害物質や、廃棄物に接して汚れた水を仕切りの内部に封じ込めておき、有害物質が処理されずに外洋に流出する等の、不都合が発生することを防止可能にする。
【００３６】
前記図１に示された例のように、海底地盤上に所定の高さで構築した基礎マウンド５の上に、ケーソン２を立設して構築する護岸１において、図２に説明する例では、ケーソン２の埋立地側の側面と、基礎マウンド５の斜面および、海底地盤の所定の範囲に亘って、共通する遮水層を設けている。前記図２に説明する例においては、前記ケーソンの側部から基礎マウンドの上面と斜面とを覆うように、遮水用シート１１を敷設して設けており、前記遮水用シート１１の延長部は、埋立地側の地盤６の表面を覆うように延長されて、地盤６を覆う遮水層に接続することが可能とされる。
【００３７】
また、前記ケーソンの外側の面の部分と、基礎マウンド５の斜面部の所定の範囲に亘って、遮水用シート１１とともに、アスファルトマット１０を敷設して設けている。前記遮水用シート１１のケーソン２の側部に接する端部に対して、前記遮水用シート１１を押圧して水密に保持するために、アスファルトマスチックをブロック状に打設して、前記アスファルトのブロックを、押圧保持部材１６として設けている。なお、前記アスファルトマットは、遮水用シートと同様に、遮水層としての機能を発揮できるものであり、前記遮水性を有するシートとマットとを重ねて一体化させることで、より効果的な遮水層として作用させることができる。
【００３８】
さらに、前記基部遮水工１５においては、アスファルトを一定の厚さで敷設する遮水層１０の端部の上に、ブロック状にアスファルトマスチックを打設して、押圧保持部材１６として設けている。前記押圧保持部材１６としては、遮水用シート１１のケーソン側の端部を固定保持するもので、前記積層遮水部材をマウンド上に位置決めして敷き込んで、前記遮水部材と保護手段とを重ねて一体化した積層遮水部材として構成し、前記積層遮水部材を位置決めして敷き込んでから、ブロック構築用の型枠を組んで、アスファルトマスチックを充填して構成できる。そして、前記押圧保持部材としてのブロック１６を設けて、遮水層のシート１１の端部を位置決めさせることによって、基礎マウンドの端部に対応する部分またはその近傍で、その支持地盤の不等沈下等が発生しても、遮水性に問題が発生することがない。
【００３９】
また、前記図２に説明するように、ケーソン２の側面部に遮水用シート１１を接するように配置して、基部遮水工１５を構成した場合には、埋立地側の地盤の変化等が発生した時には、前記遮水用シート１１に対して、ケーソンから引き離す方向に引っ張り力が作用すると想定される。そのように、埋立地側で海底地盤に凹凸が発生しても、遮水用シート１１の端部を固定保持できるように、ブロックにより押圧固定していることから、遮水用シートの性質を継続して維持することが可能である。この例においては、ケーソン２の下部に敷き込んだアスファルトマットに接続して、遮水層１０を所定の範囲に亘って設けている。さらに、ケーソン２側の端部に接するように、アスファルト製のブロック１６を設けて、遮水用シートの端部を保持して、遮水層の端部をケーソンの垂直な壁部分に固定保持する作用を、良好な状態で維持できるように構成している。
【００４０】
前記図２に説明された基部遮水工１５の例において、遮水層のアスファルトマットは、強度を向上させたマットとして形成されたものを用いる。例えば、マットの内部にガラス繊維の織布等の、引っ張り強度が非常に大きい補強手段を設けたものを、アスファルトマスチック層の間に挟んで一体化し、強度の大きいマットとして使用する。また、前記遮水用シート１１としては、従来より一般に用いられている遮水材と同様に、プラスチック製の比較的薄い遮水用シートを用いる他に、ゴムシートのような伸縮性のあるシートを使用しても良い。さらに、前記シートの端部をケーソン側で固定保持するブロック１６は、任意の大きさのものとして構成することができるが、その重量により遮水用シートの端部をケーソンの側部に押圧して保持するのであるから、その保持作用を良好に行い得る程度の大きさと、重量を有するものとして構成する必要がある。
【００４１】
前記図２に説明したように、遮水用シートと積層遮水部材のケーソン側の端部にブロック１６を設けていることで、遮水用シート１１を基礎マウンドの斜面に沿って、下方に引っ張るような力が作用した場合に、遮水層１０がその引っ張り力に抵抗するよう作用させることができる。つまり、前記遮水用シート１１を引き摺り下げるように働く力に対抗して、積層遮水部材の一方の部材では、遮水用シート１１をブロック１６により押圧して保持させるようにして、シート１１と保護部材との間に働くところの、大きな摩擦力で引き止めるような作用を発揮する。
【００４２】
さらに、前記実施例に説明したように、積層遮水部材として構成される遮水層においては、前記保護層に対して引っ張り力等が作用すると、その引っ張られた方向に遮水部材が延びることになる。したがって、遮水用シートが伸縮性を有する部材であると、シート１１とともに延びるように変形することから、遮水性を損なうような隙間が形成されることはない。
【００４３】
これに対して、前記遮水用シートとして、伸縮性を有しない性質の材料が用いられる場合には、遮水層に加えられる力により、シートが破断されるような状態が発生することになる。例えば、前記遮水用シートに加えられる力が大きくて、遮水用シートに亀裂が生じた場合でも、シートと組み合わせて敷設している支持シート等を含んで、遮水層が破断されない限りは、前記シートに生じた隙間を、遮水層１０のアスファルト層が自動的に塞ぐこととなり、積層遮水部材での遮水性に支障が生じることは避けられる。
【００４４】
前記図２に説明する例において、基礎マウンド５の斜面部の端部、つまり、地盤との接続部でも、図に仮想線で説明するように、ブロック１６ａを構築した基部遮水工１５ａを設けて、遮水層に加えられる外力に対応させることができるようにする。つまり、このような、斜面部と水平面とが接続される部分では、基礎マウンド５の積み石の一部が崩れたりすること、または、海底地盤の一部が不等沈下する等の、比較的発生頻度が多いけれども、発生する箇所の予想が困難な状態のところでも容易に対応させることができる。そして、前記地盤沈下等が発生したとしても、遮水用シートが破損して、積層遮水部材での遮水性に障害が生じる等の、不都合な状態となることを自動的に防止することができる。
【００４５】
前記図１に示した遮水層においては、図３に示されるようにも構成することができるもので、基礎捨石により構築する基礎マウンド５の表面に、遮水用シート１１とメッシュ部材１２を組み合わせ、さらに、アスファルトマスチック層２０を重ねて、積層遮水部材として一体化させて構成する。前記遮水層１０を構築するに際しては、遮水用シート１１を敷き込んだ上に、アスファルトマスチック層２０を重ねるようにして、所定の厚さに打設することで、二重の遮水層を一体化したものとして構成される。前記アスファルトマスチック層２０は、埋立地８と外洋との間を仕切って、遮水性を良好に発揮できる程度の厚さとするもので、例えば、５〜１５cm程度の厚さに施工する。
【００４６】
前記アスファルトマスチックを施工する場合に、ゴムまたはプラスチック製の遮水用シート１１は、その表面が平滑なものが多く用いられているが、前記遮水用シート１１と重ねて敷設するメッシュ部材１２は、凹凸を有する部材である。そこで、前記シートの凹凸部にマスチックを入り込ませて固化させて一体化させるようにして、前記メッシュ部材を内部補強部材として利用することで、所定の厚さのマスチック層２０として構築可能なものとしている。
【００４７】
なお、以下に説明する本発明の実施例において、「マスチック層」は、特に限定して説明する場合の他は、アスファルトマスチックを直接地面上に打設して、所定の厚さを有する層状のものとして形成するもの、または、別の場所で作成したアスファルトマットを、地盤上に隙間を生じさせないように敷き込んで、遮水性を持たせて構築するものを総称している。また、本実施例で開示している遮水層は、多くの場合に、積層遮水層として構成されているものであり、遮水用シートと支持シート部材とを重ねて、一体化した積層遮水層として構成する例を用いて説明している。
【００４８】
前記遮水層として構築されるところの、遮水用シート１１とメッシュ部材１２との組み合わせにおいて、前記遮水用シート１１は、例えば、ゴムや塩化ビニール、または、ポリエチレン、ポリプロピレン等のプラスチックを用いて、所定の厚さのシート状に成形したものを用いることができる。これ等の遮水用シートは、従来より埋立地で廃棄物が地盤に接しないように、仕切り作用を行うために用いられている遮水用シートと同様に、ゴムやプラスチック材料により、シート状のものとし構成されるものである。そして、厚さが１〜５mmのものを端部を重ねて接着する等の手段を用いて、接続部に隙間が形成されることがないように敷設する。
【００４９】
前記遮水用シート１１と一体に設けるメッシュ部材１２は、後述する支持シート部材と同様な機能を発揮することが可能である。そして、その材料として、任意の金属で作成した金網や、ラスメタル等の金属のネット状の部材や、繊維で構成したシートや網状のもので構成することが可能である。その他に、金属のメッシュ部材や、チェーンやワイヤを編んで、ネット状の部材として構成したものを用いる場合には、前記金属部材が比較的比重が大きく、単位面積当たりの重量が重いものとすることが可能であることから、遮水用シート部材を押圧して安定させるアンカーとして、位置固定作用を発揮できるので好都合である。
【００５０】
また、前記遮水用シート１１とメッシュ部材１２の間には、接着テープやその他の任意の接続部材を用いて一体に組み合わせ、遮水用シート１１の遮水性に影響が生じないように構成したものを用いることができる。なお、前記メッシュ部材１２を遮水用シート１１に重ねるように組み合わせ、１回の敷設作業ですませるために、遮水用シート１１を貫通する針金等を用いて接続した積層シートを用いることできる。そのように、積層遮水部材を作成する場合にも、テープや接着剤等を用いて、シートに形成した穴を塞ぐように処理して、遮水用シートにおける遮水性を良好に維持できるようにすると良い。
【００５１】
前述したようにして、遮水用シート１１とメッシュ部材１２とを重ねて一体化し、遮水性を良好に発揮できるようにした積層遮水部材は、遮水性シートに対して重い金網を組み合わせているのであるから、それを海中で施工する際には、比較的容易に展開できるという特徴を発揮できる。そして、風や波浪の影響を受けた場合でも、遮水層があおられたり波打ち状態となることがなく、基礎捨石の表面に位置決めして施工するために、特におもり部材等を補助的に使用しなくても、容易に敷設できるという特徴がある。
【００５２】
また、前記遮水用シート１１と組み合わせて設けるメッシュ部材１２としては、任意の重さと強度とを有する任意の太さの針金を用いて、金網のように構成した部材を用いることが可能である。前記メッシュ部材１２は、遮水用シート１１に加えられる衝撃や荷重、または押圧力に対して、対抗する役割を持つものとして用いられているものである。したがって、前記メッシュ部材１２としては、できるだけ強度が大きくて、その上に打設するアスファルトマスチックメッシュの網目に入り込んで、遮水用シートの表面に沿って流れることを阻止して、前記メッシュを中に含んで一体化する状態で、所定の厚さのマスチック層２０を容易に形成できるようにすることが望ましい。
【００５３】
前記実施例に示されたように、遮水層１０を構築した場合でも、海底地盤６が軟弱な海域では、図４に示すような不都合な状態が発生することが考えられる。前記図４に示される例では、改良地盤７の上に捨石による基礎マウンド５を構築し、その上にケーソン２等を構築して護岸１を形成することは、前記各実施例と同様であるが、前記基礎マウンドとケーソンの重量により押圧されて、地盤沈下部７ａが生じることがある。また、廃棄物を積重ねるようにする前記埋立地８においても、海底地盤６の軟弱部を強化する等の改良処理しない部分６Ａでは、その一部の地盤の軟弱部に対して大きな押圧力が作用すると、地盤沈下部６ａが形成されることになる。
【００５４】
前記図４に説明しているように、廃棄物の重さで地盤沈下が発生する例においては、地盤を強化する処理を施していない部分では、比較的容易に発生するものと想定される。しかしながら、前記基礎マウンドを構築する部分では、地盤を強化する処理は厳密に施工しているものであって、軟弱地盤や透水性のある地盤に対しては、十分に対処されている。特に、不透水層とする処理と、地盤を強化する処理とを施しているものであることから、前記基礎マウンドの部分を除く処理場全体に対して、地盤沈下が発生することを考慮する必要がある。なお、前記廃棄物の重量により、地盤の弱い部分が不等沈下するという問題は、廃棄物の海面処分場のみではなしに、陸上の処分場についても同様な問題が提起されるものでもある。
【００５５】
前述したような前記地盤沈下が発生した部分６ａでは、図４、５に説明されるように、基礎マウンド５の端部から、海底地盤６の沈下した部分６Ａに向けて、遮水層１０の全体が引き摺り込まれるような、不都合な作用が加えられることになる。そして、アスファルトマスチック層２０と遮水用シート１１とを重ねた積層遮水層１０に対して、大きな張力が局部的に加えられる。そして、前記遮水層１０に対して、局部的に大きな張力が付与されることにより、遮水用シート１１が引き裂かれたりする事故が発生することで、遮水性を良好に維持できないという障害が発生することが考えられる。
【００５６】
そこで、前記遮水層としての性能を維持させるためには、前記図２で説明したように、シートの端部を保持するブロックを、基礎マウンドの上でケーソンの側壁に押圧する状態に位置決めしている。そして、地盤が沈下した部分に向けて、遮水シート等に引っ張り力が付与される状態となった場合でも、そのシートの端の部分を押圧して保持させることにより、保護層としての機能に支障が生じないように保持することもできる。その他に、例えば、遮水用シート１１を伸び量の大きいゴム等の材料を用いて構成しておき、そのシートと重ねて支持するメッシュ部材１２を、伸縮性の大きな金網等で構成することで、シートとアスファルトマスチック層での遮水性を、容易に確保てきるようにすることも考えられる。つまり、前記遮水用シートを伸び量の大きな軟質のゴム等で構成する場合には、大きな引っ張り力が局部的に付与された状態でも、遮水用シートが簡単に切断されないように保護できることになる。
【００５７】
この場合は、遮水用シート１１の上に施工するマスチック層１０を、柔軟性を向上させたマスチック層として設けることにより、遮水層全体の寿命を延長させることができる。つまり、地盤の変形という現象は、長い時間をかけて徐々に発生するものであり、地盤沈下による影響が、遮水層の一部を次第に引っ張るような力として、局部的に加えられたとしても、図５で説明しているように、遮水部材は符号１０ａ、１１ａで示している例のように、容易に変形される性質を発揮できる。そして、遮水層の下部の地盤が変形する現象に追従して、マスチック層が引っ張られて次第に薄くなるように変形され、薄くなった部分がその限界に達するまでは、遮水層としての機能は維持されるので、遮水層の一部に裂け目等が生じるまでは、遮水性を維持させることができる。
【００５８】
前述したように、廃棄物と地面との間を仕切るように、遮水層を構築して区画する場合に、その支持地盤の沈下等の変形等が発生することにより、遮水層が大きく変形されるような外力が作用するという問題は常に考慮しておくことが必要である。前記遮水層としては、前記図３に示したように、遮水用シート１１とメッシュ部材１２を重ねて施工し、前記遮水用シート１１の上に、アスファルトマスチック層２０とを重ねるようにして打設することで、二重の遮水層として構成されている。その他に、前記遮水用シート１１は、例えば、ゴムや塩化ビニールの他に、ポリエチレン、ポリプロピレン等の材料を用いて構成することも一般的である。
【００５９】
ところで、従来より遮水層を構成するために用いられている遮水用シート等の材料は、ゴムのような伸縮性の大きい素材を用いているものでは、地盤の変形の状態に対応して、遮水用シートが伸縮するので、遮水性を維持することが可能である。また、アスファルトマスチックのように、容易に変形する性質を有する材料を用いて、遮水層を構成する場合には、ゆっくりと時間をかけて地盤が変形する作用に合わせて、アスファルトマスチックで構成した遮水層も次第に変形することになる。したがって、弾性または伸縮性を有して変形しやすい材料を用いた遮水層を、軟弱な地盤上に配置して遮水層を構築する場合に、前述したように、地盤が不等沈下する等の変化が生じた場合でも、遮水性を損なうような事態が、容易に発生することはないと考えられる。
【００６０】
前述したように、遮水用シートと支持シート部材とを重ねて、一体化した積層遮水層として構成する場合には、長期間に亘って遮水作用を良好に維持させることが可能である。また、前記遮水材と支持シート部材とを、任意の性質を有するものを組み合わせて構成することができることも、前述した通りである。前記積層遮水部材においては、遮水用シートと支持シート部材とを重ねる際の、シートを配置する上下の関係は、その積層遮水部材を敷設する場所の状態に応じて任意に選択できる。また、前記２種類のシート状の部材の間には、接着剤を用いて一体化すること、または、単純に重ねるようにして配置することが可能である。
【００６１】
そして、前記遮水用シートと支持シート部材とを重ねた積層遮水部材を用い、前記積層遮水部材を地盤の変化が生じると想定される場所に配置した場合に、遮水用シートまたは支持シート部材の各々が、その特性を良く発揮して、遮水作用を良好に発揮させることができる。例えば、アスファルトマスチック層と伸縮しない性質を有する遮水用シートとを重ねて、積層遮水部材として構成した場合には、遮水用シートに作用する引っ張り力の大きさが、伸縮性を有しないシートでの強度の限界を越えると、その遮水用シートは破断することになる。しかしながら、アスファルトマスチック層が破られない限りは、その遮水性を維持することができるので、その一方の遮水性シートが破断された後でも、遮水層での遮水性は維持される。
【００６２】
また、遮水用シートが伸縮性を有する材料で構成され、アスファルトマスチック層とを重ねて、積層遮水部材を構成している例では、その積層遮水部材で覆われている地盤の一部だけに、不等沈下が生じたり、浸蝕されて凹部が形成されると、遮水用シートは地盤の凹部に沿って変形する状態となる。このような状態に対して、前記地盤の変形の程度に応じて、積層遮水部材が伸びたりしている間は、シートによる遮水作用は良好に維持されるので、何等の問題が発生することはない。前記実施例とは別に、遮水用シートと支持シート部材との双方が伸縮性を持たず、支持シート部材の強度が非常に大きい、つまり、引っ張り強度が非常に大きいもので構成されている場合には、積層遮水部材の下部の地盤に大きな凹部が生じたとしても、積層遮水部材が若干凹ませられるように変形しても、その積層遮水部材が破断されない限りは、後述する図１０の例のように、廃棄物を支持できる状態が維持される。
【００６３】
前記支持シート部材として、アスファルトマットまたはマスチック層を用い、任意の遮水用シートと重ねて積層遮水部材を形成することができる。その場合に、前記アスファルト層と遮水用シートとを接着して、一体化した積層遮水部材として敷設すると、基本的には、遮水用シートに亀裂が生じる等の破損が発生して、シートによる遮水性が損なわれる状態が先に発生する。しかしながら、前記遮水用シートと一体化されているマスチック層は、遮水用シートが破れるような引っ張り力を受けたとしても、アスファルト層は伸びて次第に薄くなるような事態が発生するのみである。そして、その引っ張り力がマスチック層の変形の限界に達して、裂け目等が生じたりしない限りは、積層遮水部材が一体となって遮水作用を有効に維持できる。
【００６４】
前記地盤の変形が生じても、遮水層としての性能を維持させるためには、前記図３等で説明したように、遮水用シートとメッシュ部材とを重ねて施工してから、その上にマスチック層を施工することが考えられる。そして、前記遮水層では、内部補強部材をアスファルト層の内部に配置した遮水層と、遮水用シートとを重ねた状態での、強固な遮水層を施工することができる。したがって、地盤の強度が不足する部分で、局部的な陥没等の変形が発生したときでも、遮水層としての性能を長期間維持できるようにすることが可能である。前記２つの層を重ねた状態で施工する遮水層として、遮水用シートがゴムのように伸縮性を有するものを用いて、アスファルト層と重ねて施工する場合には、２つの遮水層が共に伸縮性を有することから、遮水層の下部で地盤の変形がゆっくりと発生した場合であっても、遮水層が変形する作用が追従できるものとなる。
【００６５】
前記伸縮性を有する遮水用シートを用いて構成する遮水層とは別に、前記遮水用シートが伸縮性を有しなくても、その遮水用シートを保持するシートや、支持シート部材を重ねて施工し、遮水層の強度を向上させる手段を用いることが考えられる。例えば、従来より一般に用いられているような、遮水用シートのうち、塩化ビニールやポリエチレン、ポリプロピレン等のような材料は、伸縮性が非常に小さいものであるから、地盤の変形にしたがって延びたりするようにして、その材料による性質で自動的に対処させることは考えられない。そこで、前記伸縮性のない遮水用シートに対しては、伸縮しないが、破断強度が非常に大きい丈夫なシート材料を、支持シート部材として重ねて施工し、その２つの層が一体となって、地盤の局部的な沈下等に対して抵抗できるようにし、廃棄物の荷重を支え得るようにするのである。
【００６６】
前記強度の大きい支持シート部材としては、例えば、ガラス繊維等を用いて作成したシート状の部材、ジオテキスタイルやジオグリットと呼ばれているところの、シート状の部材等を用いることができる。また、その他に、ワイヤやチェーンを編んで構成したネット部材や、前記ガラス繊維で作成したシート状の織物を、内部補強部材としてアスファルトマットを作成し、そのアスファルトマット自体が、破断強度の大きいものとして作用できるように、その特性を十分に利用することが可能である。つまり、前記遮水層を構築するに際しては、前記遮水用シートや、遮水用シートと一体に敷設する支持シート部材の強度を十分に利用することで、基礎地盤の支持強度を強化する処理が、十分に行われていなくても、遮水用シートを敷設することにより構成した遮水層での遮水性には、何等の影響も生じないようにすることが可能となる。
【００６７】
前記ジオテキスタイルやジオグリットと呼ばれるシートは、土木工事に用いられている一般的なシートで、天然繊維や合成繊維の織物、または不織布等の任意のシートを総称しているものである。そして、前記ジオテキスタイルと呼ばれて多く使用されているアラミド繊維や、超高分子量ポリエチレンのようなシートでは、従来より一般に使用されていた合成繊維類、例えば、ポリエステル、ナイロン、ビニロン、ホリプロピレン等の繊維製のシートよりも非常に大きい強度を発揮できるものである。前記新しい繊維類のうちの特に強度の大きいものでは、鉄と同等かあるいはそれ以上の強度を有するものまでがあり、土木の分野では多く用いられるようになってきている。
【００６８】
後述する本発明の実施例において、遮水用シートと支持シート部材とを重ねるようにして敷設しておくことで、支持地盤の局部的な沈下等が生じても、その部分での遮水用シートが負担する廃棄物の荷重を、強度の大きな支持シート部材に負担させることができるようにしているのである。したがって、前記図１に説明した基礎マウンドに対応する地盤改良部のみを、地盤強化する処理の対象として施工し、その仕切りの内外海に相当する両側部の地盤に対しては、地盤強化工事を施工せずに、いわゆる手抜き状態で護岸を構築するのである。
【００６９】
そして、前記廃棄物を積み重ねて堆積させる部分の下面部、または堆積場の底版部分に対しては、地盤の弱い部分で多少の沈下等が発生して、遮水用シートに対して局部的な引っ張り作用が働いたとしても、その遮水用シートに付与される力を、支持シート部材に負担させることができる。つまり、その遮水用シートに加えられる引っ張り力等が、前記支持シート部材と遮水用シートの強さ以上の値となり、それ等のシートが破断される状態となるまでの間は、遮水性に支障が生じないように、遮水用シートの性能を維持させることができるものとされる。以下に、遮水用シートと支持シート部材とを、遮水用の部材として用いる場合の、具体的な例を説明する。
【００７０】
前述したように、廃棄物の埋立て処分場に敷設する遮水用シートを、強度が非常に大きい支持シート部材と重ねるようにして設ける場合には、図６以降に説明するように構成される。なお、図６以下に説明する本発明の実施例においては、説明を簡略化するために、遮水処理する対象の地盤を、地盤３０、遮水処理部の名称は、遮水工３５、支持シート部材３６、遮水用シート３７、シート以外の遮水層３８と呼んで説明している。例えば、これらの用語で説明される各構成部材は、例えば、支持シート部材としては、例えば、ガラス繊維等を用いて作成したシート状の部材、ジオテキスタイルと呼ばれるシート類のうちの、任意のシートを用いることが可能である。
【００７１】
前記図６に示した例は、地盤３０の表面に沿わせて支持シート部材３６を敷き込んで、支持層を構成するもので、この支持シート部材３６を敷設するに際しては、所定の幅と長さのシートを敷設しながら、隣接するシートとの間を接着する等の、任意の接続手段を用いて接続する。そして、前記支持シート部材３６としては、幅の広いシートとして構成することで、地盤に欠陥が生じた場合でも、前記遮水工（遮水層）を構成する支持シート部材には裂け目等が形成されないように、強固な１枚のシートとなるように接続して施工される。
【００７２】
また、前記支持シート部材３６の上に敷設する遮水用シート３７としては、従来より遮水工として一般に用いられているシートと同様なものを用いることが可能である。これらの遮水用シートとしては、塩化ビニールやポリエチレン、ポリプロピレン等のような、任意の材料を用いることができる。そして、前記支持シート部材３６と遮水用シート３７とを任意の厚さを有するものを選択し、重ねた状態で敷設する遮水工３５においては、地盤の一部が陥没する等の変形することにしたがって、延びたりするようなことはない。しかしながら、その遮水工の強度が非常に大きいものであることから、前記遮水工が破断されて、廃棄物が地盤に直接接触したりするような、不都合な状態が早期に発生することを避けることができる。
【００７３】
図７に示す例は、地盤３０と遮水工３５ａの間で、水が流通できる程度の隙間を持たせて、地下水の流れを妨げることがないようにして遮水工３５ａを構築し、遮水工３５ａの上に廃棄物を堆積させる場合の例を示している。この図７に説明する例では、地盤３０の上には、所定の厚さで砂利や砂等を敷き込んで、透水層３６ａを構築することにより、地下水の湧出量が多い地区での地下水の処理を、処分場の汚れた水と区分して処理できるようにする。また、この実施例において、遮水工３５ａは、任意の厚さの支持シート部材３６の上に、任意の厚さの遮水層３８を重ねて設けているものであるが、前記遮水層３８として遮水用シートの上に、アスファルトマスチックの層を重ねて設けて、遮水性をより良好に発揮させることも可能である。
【００７４】
前記図７に示した例において、前記遮水工３５ａの最下面には、透水層ではなしに、厚い支持シート部材を敷設して、その上に符号３６で示す薄い遮水用シートを敷設する。さらに、前記遮水用シート３６の上には、薄くアスファルトマスチック層を構築して、投棄される廃棄物が遮水工を破損したりすることがないように保護しても良い。その他に、前記遮水工３５ａの上面には、砂や砂利等の層を所定の厚さで形成しておくことで、前記遮水工が廃棄されたものの鋭利な部分が当って、破られたりすることがないように保護することが可能となる。
【００７５】
図８に示す遮水工３５ｂの例において、地盤の表面には直接支持シート部材３６を敷き込んで、その上にマスチック層３９を構築するようにしている。前記マスチック層としては、一般的なアスファルトマットを用いて構成しても良いが、そのアスファルト層の強度を補償する他に、織物や不織布、多孔質のシート状のものを、内部補強部材３９ｈとして挿入すれば、遮水層としての強度を向上させることができる。なお、前記マスチック層３９を構成するために、所定の大きさで一定の厚さを有するアスファルトマットを、縦横に配置して敷き詰め、マットの隣接する部を所定の巾で重ねて、アスファルト系統の接着剤を用いて隙間が生じないように接続して、水が漏れることをできて、遮水性と強度の大きな遮水層として構成することができる。
【００７６】
図９に示す遮水工３５ｃの例において、前記図８の例とは別に、地盤上に支持シート部材３６を敷き込んでから、その上アスファルトマスチックの層を、所定の厚さのものとして形成することは、前記図９の場合と同様ではある。この例では、支持シート部材３６の上にメッシュ部材を補強部材３９ｈとして用い、前記補強部材を内部に含むようにして、マスチックの層を構成する。この例において、内部補強部材としての役割を有するメッシュ部材としては、任意の太さの針金を編んで作った金網等を用いることができるものであり、太い針金で丈夫な金網をアスファルト層の中に配置することで、遮水層の強度を任意に設定することが可能になる。
【００７７】
前記図６ないし図９の各々に示した実施例において、遮水工３５の下部の地盤が陥没したりして、支持性能を良好に発揮できない事態が生じることが想定される。つまり、図１０に説明するように、地盤が沈下して、陥没部３１が形成されると、当然、その上部に位置されている支持シート部材３６が、凹部の周囲の部分で廃棄物により地盤に押圧されたままであるから、局部的に宙吊り（浮いた）状態となり、その浮いた部分の上に載っている廃棄物の重量によって、部分的に押し下げられるような力が加えられる状態となる。ところが、前記地盤の陥没部３１が形成された場合であっても、その陥没部３１の周囲で陥没していない部分では、遮水工が廃棄物の重さで押圧されたままで固定されている。そこで、前記地盤の陥没した部分に対しては、陥没部３１に対応する支持シート部材３６と遮水用シート３７の一部分のみが、上からの押圧力（廃棄物の重量）に対処しなければならないことになる。
【００７８】
前記地盤の陥没部３１に対して、遮水工３５では支持強度の大きい支持シート部材と、遮水用シートとが一体となって配置されているものであるから、陥没部の周囲では廃棄物により押圧されることで、遮水用シートと支持シート部材とが、相互にずれを生じたり移動できない状態で、地盤に押圧された状態で保持される。そして、前記陥没部では、その上の遮水工が、それ自体が大きく伸びたりすることがない状態で、少しだけ下方に湾曲した状態になると想定される。前記陥没部が形成される速度が、非常に緩やかである場合、つまり、廃棄物の重量により、軟弱な地盤が次第に陥没するような事態が発生したときには、地盤は局部的に大きく陥没することは想定されてなく、広い場所全体が少しずつ沈下するようになると考えられる。したがって、広い面積に亘って少しずつ沈下するような状態では、その遮水層の構成部材の強度が許容する範囲では、遮水工が破断されることはなく、遮水工が変形することで対処できる。
【図面の簡単な説明】
【００７９】
【図１】一般的な護岸の構成を示す説明図である。
【図２】護岸の基礎マウンドの説明図である。
【図４】地盤の変形の説明図である。
【図５】遮水工の変形状態を拡大した説明図である。
【図６】本発明の遮水工の実施例の説明図である。
【図７】遮水工の別の実施例の説明図である。
【図８】支持シート部材上にアスファルトマスチックの層を組み合わせる例の説明図である。
【図９】図８とは異なる遮水工の説明図である。
【図１０】本発明の実施例での遮水工の変形状態の説明図である。
【符号の説明】
【００８０】
１    護岸、  ２    ケーソン、  ３    遮水部、  ５    基礎マウンド、
６    海底地盤、  ７    地盤改良部、  ８    埋立地、  
１０    遮水層、  １１    遮水用シート、  １２    メッシュ部材、
１５    基部遮水工、  １６    押圧保持部材、
２０    アスファルトマスチック層、
３０    地盤、  ３１    陥没部、  ３５    遮水工、  ３６    支持シート部材、
３７    遮水用シート、  ３８    遮水層。
【図１】
2007105618.tif 000003
【図２】
2007105618.tif 000004
【図３】
2007105618.tif 000005
【図４】
2007105618.tif 000006
【図５】
2007105618.tif 000007
【図６】
2007105618.tif 000008
【図７】
2007105618.tif 000009
【図８】
2007105618.tif 000010
【図９】
2007105618.tif 000011
【図１０】
2007105618.tif 000012
【手続補正書】
【提出日】平成17年11月1日(2005.11.1)
【手続補正１】
【補正対象書類名】明細書
【補正対象項目名】００７９
【補正方法】変更
【補正の内容】
【００７９】
【図１】一般的な護岸の構成を示す説明図である。
【図２】護岸の基礎マウンドの説明図である。
【図３】本発明の遮水工の説明図である。
【図４】地盤の変形の説明図である。
【図５】遮水工の変形状態を拡大した説明図である。
【図６】本発明の遮水工の実施例の説明図である。
【図７】遮水工の別の実施例の説明図である。
【図８】支持シート部材上にアスファルトマスチックの層を組み合わせる例の説明図である。
【図９】図８とは異なる遮水工の説明図である。
【図１０】本発明の実施例での遮水工の変形状態の説明図である。